(57)【要約】【課題】アドレス指定時間を減らすことにより高速駆動が可能なプラズマディスプレイ装置及びその駆動方法を提供する。【解決手段】１フレームを複数のサブフィールドに分けて駆動するとき、複数のサブフィールドのうち少なくともいずれかのサブフィールドのアドレス期間において、全てのスキャン電極のうち一部のスキャン電極をスキャンするプラズマディスプレイ装置。【選択図】図３
2007072462.tif 000002
【特許請求の範囲】
【請求項１】
１フレームを複数のサブフィールドに分けて駆動するプラズマディスプレイ装置の駆動方法において、
前記複数のサブフィールドのうち少なくともいずれかのサブフィールドのアドレス期間において、全てのスキャン電極のうち一部をスキャンすることを特徴とする、プラズマディスプレイ装置の駆動方法。
【請求項２】
前記全てのスキャン電極のうち一部をスキャンすることは、前記全てのスキャン電極を所定個数のスキャン電極グループに分け、前記全てのスキャン電極グループのうち一部のグループをスキャンすることを特徴とする、請求項１に記載のプラズマディスプレイ装置の駆動方法。
【請求項３】
前記スキャン電極グループの所定個数は、２個以上であることを特徴とする請求項２に記載のプラズマディスプレイパネルの駆動方法。
【請求項４】
前記スキャン電極グループに属するスキャン電極の数は、全て同じであることを特徴とする請求項２に記載のプラズマディスプレイ装置の駆動方法。
【請求項５】
前記スキャン電極グループに属するスキャン電極の数は、２個又は３個であることを特徴とする請求項４に記載のプラズマディスプレイ装置の駆動方法。
【請求項６】
前記スキャン電極グループに属するスキャン電極の数は、少なくともいずれかが異なることを特徴とする請求項２に記載のプラズマディスプレイ装置の駆動方法。
【請求項７】
前記部分的なスキャンは、前記全てのスキャン電極のうち、奇数番目ラインのスキャン電極又は偶数番目ラインのスキャン電極をスキャンすることを特徴とする請求項１に記載のプラズマディスプレイ装置の駆動方法。
【請求項８】
前記少なくともいずれかのサブフィールドは、しきい値以下の階調加重値を有するサブフィールドであることを特徴とする請求項１に記載のプラズマディスプレイ装置の駆動方法。
【請求項９】
前記しきい値以下の階調加重値を有するサブフィールドは、３個の低階調サブフィールドであることを特徴とする請求項８に記載のプラズマディスプレイ装置の駆動方法。
【請求項１０】
１フレームを複数のサブフィールドに分けて駆動するプラズマディスプレイ装置の駆動方法において、
前記複数のサブフィールドのうち、奇数番目のサブフィールドのアドレス期間には、奇数番目のスキャン電極又は偶数番目のスキャン電極をスキャンし、
前記複数のサブフィールドのうち、偶数番目のサブフィールドのアドレス期間には、前記奇数番目のサブフィールドのアドレス期間においてスキャンしたスキャン電極と異なるスキャン電極をスキャンすることを特徴とする、プラズマディスプレイ装置の駆動方法。
【請求項１１】
複数のスキャン電極が形成されたプラズマディスプレイパネルと、
前記複数のスキャン電極にスキャンパルスを供給するスキャン駆動部と、
前記スキャン駆動部が複数のサブフィールドのうち少なくともいずれかのサブフィールドのアドレス期間において、前記複数のスキャン電極のうち一部にスキャンパルスを供給するように、前記スキャン駆動部を制御するタイミングコントロール部と
を備えることを特徴とするプラズマディスプレイ装置。
【請求項１２】
前記全てのスキャン電極のうち一部にスキャンパルスを供給することが、前記全てのスキャン電極を所定個数のスキャン電極グループに分け、前記スキャン電極グループのうち一部のグループにスキャンパルスを供給することである、ことを特徴とする請求項１１に記載のプラズマディスプレイ装置。
【請求項１３】
前記スキャン電極グループの所定個数は、２個以上であることを特徴とする請求項１２に記載のプラズマディスプレイ装置。
【請求項１４】
前記スキャン電極グループに属するスキャン電極の数、全て同じであることを特徴とする請求項１２に記載のプラズマディスプレイ装置。
【請求項１５】
前記スキャン電極グループに属するスキャン電極の数は、２個又は３個であることを特徴とする請求項１４に記載のプラズマディスプレイ装置。
【請求項１６】
前記スキャン電極グループに属するスキャン電極の数は、少なくともいずれかが異なることを特徴とする請求項１２に記載のプラズマディスプレイ装置。
【請求項１７】
前記部分的なスキャンは、前記全てのスキャン電極のうち、奇数番目ラインのスキャン電極又は偶数番目ラインのスキャン電極をスキャンすることを特徴とする請求項１１に記載のプラズマディスプレイ装置。
【請求項１８】
前記少なくともいずれかのサブフィールドは、しきい値以下の階調加重値を有するサブフィールドであることを特徴とする請求項１１に記載のプラズマディスプレイ装置。
【請求項１９】
前記しきい値以下の階調加重値を有するサブフィールドは、３個の低階調サブフィールドであることを特徴とする請求項１８に記載のプラズマディスプレイ装置。
【発明の詳細な説明】
【技術分野】
【０００１】
本発明は、プラズマディスプレイ装置及びその駆動方法に関する。
【背景技術】
【０００２】
一般に、プラズマディスプレイ装置は、画像が表示されるプラズマディスプレイパネル及びこれを駆動するための駆動部を備える。
【０００３】
プラズマディスプレイパネルは、隔壁により区画された放電セル内に蛍光体層を備え、放電セルに駆動信号を印加できるように複数の電極を備える。
【０００４】
このようなプラズマディスプレイパネルは、放電セルに駆動信号を印加すれば、放電セル内に充填されている放電ガスが真空紫外線（Ｖａｃｕｕｍ  Ｕｌｔｒａｖｉｏｌｅｔ  ｒａｙｓ）を発生する。このような真空紫外線が放電セル内に形成された蛍光体を発光させることで、映像を具現する。
【０００５】
プラズマディスプレイ装置の画像階調の表示方法を説明すれば、以下の通りである。
【０００６】
図１は、従来のプラズマディスプレイ装置の画像階調を具現する方法を示す図である。
【０００７】
同図に示すように、従来のプラズマディスプレイ装置の画像階調の表現方法は、１フレームを発光回数の異なる複数のサブフィールドに分け、各サブフィールドは、さらに、全てのセルを初期化させるためのリセット期間（ＲＰＤ）、放電されるセルを選択するためのアドレス期間（ＡＰＤ）及び放電回数に応じて階調を具現するサステイン期間（ＳＰＤ）に分けられる。
【０００８】
例えば、２５６階調で画像を表示しようとする場合、１／６０秒に該当するフレーム期間（１６．６７ｍｓ）は、図３のように、８個のサブフィールドＳＦ１〜ＳＦ８に分けられ、８個のサブフィールドＳＦ１〜ＳＦ８のそれぞれは、リセット期間、アドレス期間及びサステイン期間に再び分けられる。
【０００９】
各サブフィールドのリセット期間及びアドレス期間は、各サブフィールドごとに同じである。放電されるセルを選択するためのアドレス放電は、アドレス電極とスキャン電極である透明電極との間の電圧差により起きる。サステイン期間は、各サブフィールドにおいて２ｎ（但し、ｎ＝０，１，２，３，４，５，６，７）の割合で増加する。このように、各サブフィールドにおいてサステイン期間が相違することにより、各サブフィールドのサステイン期間すなわち、サステイン放電回数を調節して画像の階調を表現するようになる。
【００１０】
一方、従来のプラズマディスプレイパネルは、上述のように、各サブフィールドのアドレス期間ごとにプラズマディスプレイパネルに形成されたスキャン電極全てに対してスキャンパルスを供給し、同時にアドレス電極にデータパルスを供給して放電セルを選択していることが分かる。すなわち、プラズマディスプレイパネルに形成された全てのスキャン電極ラインがスキャンされることが分かる。
【００１１】
このような駆動方法は、１フレームの制限された時間内でアドレス期間の間に全てのスキャン電極をスキャンしなければならないことから、サステイン期間を増やして輝度を向上させるのには限界がある。特に、プラズマディスプレイパネルが高解像度及び大型化するほど、電極ラインの数が増える場合、スキャン時間が長くなり、１フレームの制限された時間内では充分な輝度を持たれなくなる。
【発明の開示】
【発明が解決しようとする課題】
【００１２】
本発明は、上述の問題点に鑑みてなされたもので、その目的は、プラズマディスプレイパネルの駆動方法を改善し、アドレス指定時間を減らすことにより高速駆動が可能なプラズマディスプレイ装置及びその駆動方法を提供することにある。
【００１３】
また、本発明の他の目的は、アドレス指定時間を減らし、かつ輝度特性を維持することができるプラズマディスプレイ装置及びその駆動方法を提供することにある。
【課題を解決するための手段】
【００１４】
上記目的を達成すべく、本発明に係るプラズマディスプレイ装置及び駆動方法によれば、１フレームを複数のサブフィールドに分けて駆動する際に、複数のサブフィールドのうち少なくともいずれかのサブフィールドのアドレス期間において、全てのスキャン電極のうち一部をスキャンすることを特徴とする。
【００１５】
また、全てのスキャン電極のうち一部をスキャンすることが、全てのスキャン電極を所定個数のスキャン電極グループに分け、全てのスキャン電極グループのうち一部のグループをスキャンすることである、ことを特徴とする。
【００１６】
この場合、スキャン電極グループに属するスキャン電極の数が、全て同じであることを特徴とする。
【００１７】
スキャン電極グループに属するスキャン電極の数が、少なくともいずれかが異なることを特徴とする。
【００１８】
部分的なスキャンが、全てのスキャン電極のうち、奇数番目ラインのスキャン電極又は偶数番目ラインのスキャン電極をスキャンすることを特徴とする。
【００１９】
少なくともいずれかのサブフィールドが、しきい値以下の階調加重値を有するサブフィールドであることを特徴とする。
【００２０】
しきい値以下の階調加重値を有するサブフィールドが、３個の低階調サブフィールドであることを特徴とする。
【００２１】
また、上記目的を達成すべく、本発明に係るプラズマディスプレイ装置及びその駆動方法によれば、１フレームを複数のサブフィールドに分けて駆動するとき、複数のサブフィールドのうち、奇数番目のサブフィールドのアドレス期間には、奇数番目のスキャン電極又は偶数番目のスキャン電極をスキャンし、複数のサブフィールドのうち、偶数番目のサブフィールドのアドレス期間には、奇数番目のサブフィールドのアドレス期間においてスキャンしたスキャン電極と異なるスキャン電極をスキャンすることを特徴とする。
【発明の効果】
【００２２】
アドレス指定時間を減らすための本発明の実施の形態に係るプラズマディスプレイ装置の駆動方法によれば、データ駆動部を１個のみ備えてアドレス指定するシングルスキャン方法を採用するので、データ駆動部を２個備え、プラズマディスプレイパネルを２個の領域に分けてアドレス指定するデュアルスキャン方法に比べて、相対的に効率が良い。また、本発明では、シングルスキャン方法を採用し、プラズマディスプレイパネルを複数の領域に分割せず、各領域を駆動するためのドライバーが要らなくなるため、費用を低減することができる。
【００２３】
また、本発明の実施の形態に係るプラズマディスプレイ装置の駆動方法によれば、サブフィールドのアドレス指定時間を減らすことができることから、相対的にサステイン期間が長くなり、輝度特性を向上させることができる。
【発明を実施するための最良の形態】
【００２４】
以下、本発明の好ましい実施の形態を、添付図面に基づき詳細に説明する。
【００２５】
図２は、本発明の一実施の形態に係るプラズマディスプレイ装置を示す図である。
【００２６】
同図に示すように、本発明の一実施の形態に係るプラズマディスプレイ装置は、スキャン電極Ｙ１〜Ｙｎ及びサステイン電極Ｚと、前記スキャン電極及びサステイン電極Ｚと交差する複数のアドレス電極Ｘ１〜Ｘｍとを備えるプラズマディスプレイパネル１００と、プラズマディスプレイパネル１００の下部基板（図示せず）に形成されたアドレス電極Ｘ１〜Ｘｍにデータを供給するためのデータ駆動部１２２と、スキャン電極Ｙ１〜Ｙｎを駆動するためのスキャン駆動部１２３と、共通電極であるサステイン電極Ｚを駆動するためのサステイン駆動部１２４と、プラズマディスプレイパネルを駆動する際のデータ駆動部１２２、スキャン駆動部１２３及びサステイン駆動部１２４を制御するためのタイミングコントロール部１２１と、それぞれの駆動部１２２，１２３，１２４に必要な駆動電圧を供給するための駆動電圧発生部１２５とを備える。
【００２７】
このような構造を有する本発明の一実施の形態に係るプラズマディスプレイ装置は、リセット期間、アドレス期間及びサステイン期間にアドレス電極Ｘ１〜Ｘｍ、スキャン電極Ｙ１〜Ｙｎ及びサステイン電極Ｚに駆動パルスが印加される少なくとも１つ以上のサブフィールドの組み合わせにより、フレームからなる画像を表現するようになる。
【００２８】
プラズマディスプレイパネル１００は、上部基板（図示せず）と下部基板（図示せず）とが一定の間隔を隔てて合着され、上部基板には、複数の電極例えば、スキャン電極Ｙ１〜Ｙｎ及びサステイン電極Ｚが対をなして形成され、下部基板には、スキャン電極Ｙ１〜Ｙｎ及びサステイン電極Ｚと交差するようにアドレス電極Ｘ１〜Ｘｍが形成される。
【００２９】
データ駆動部１２２には、図示していない逆ガンマ補正回路、誤差拡散回路などにより逆ガンマ補正及び誤差拡散された後、サブフィールドマッピング回路により各サブフィールドにマッピングされたデータが供給される。このようなデータ駆動部１２２は、タイミングコントロール部１２１からのタイミング制御信号ＣＴＲＸに応答し、データをサンプリングしラッチした後に、そのデータをアドレス電極Ｘ１〜Ｘｍに供給する。
【００３０】
スキャン駆動部１２３は、タイミングコントロール部１２１の制御下に、リセット期間に上昇ランプ波形Ｒａｍｐ−ｕｐおよび下降ランプ波形Ｒａｍｐ−ｄｏｗｎを全スキャン電極に同時に印加する。また、タイミングコントロール部１２１の制御下にアドレス期間の間に、スキャン電圧−ＶｙのスキャンパルスＳｐをスキャン電極に供給する。このとき、スキャン駆動部１２３は、フレームを構成するサブフィールドのうち、少なくともいずれかのサブフィールドでは、タイミングコントロール部１２１の制御下にプラズマディスプレイパネル１００に形成された全てのスキャン電極ラインＹ１〜Ｙｎにはスキャンパルスを順次供給せず、部分的にスキャン電極ラインにスキャンパルスを供給する。言い換えれば、１フレームの少なくとも一部のサブフィールドにおいて、全てのスキャン電極ラインＹ１〜Ｙｎのうち一部のスキャン電極ラインにのみスキャンする。例えば、全てのスキャン電極ラインＹ１〜Ｙｎのうち、奇数番目ラインのスキャン電極Ｙ１，Ｙ３，Ｙ５，．．．のみに又は偶数番目のラインのスキャン電極Ｙ２，Ｙ４，Ｙ６，．．．のみにスキャンパルスを供給してスキャンする。また、サステイン期間の間には、サステイン駆動部１２４と交互に動作し、サステインパルスＳＵＳｐをスキャン電極Ｙ１〜Ｙｎに供給する。
【００３１】
サステイン駆動部１２４は、タイミングコントロール部１２１の制御下にリセット期間のセットダウン期間及びアドレス期間の間は、所定のバイアス電圧をサステイン電極Ｚに供給し、サステイン期間の間は、スキャン駆動部１２３と交互に動作してサステインパルスＳＵＳｐがサステイン電極Ｚに供給される。
【００３２】
タイミングコントロール部１２１は、垂直／水平同期信号とクロック信号を受信し、リセット期間、アドレス期間、サステイン期間において各駆動部１２２，１２３，１２４の動作タイミング及び同期化を制御するためのタイミング制御信号ＣＴＲＸ，ＣＴＲＹ，ＣＴＲＺを発生し、そのタイミング制御信号ＣＴＲＸ，ＣＴＲＹ，ＣＴＲＺを該当駆動部１２２，１２３，１２４に供給することによって、各駆動部を制御する。
【００３３】
一方、データ制御信号ＣＴＲＸには、データをサンプリングするためのサンプリングクロック、ラッチ制御信号、エネルギー回収回路及び駆動スイッチ素子のオン・オフタイムを制御するためのスイッチ制御信号が含まれる。スキャン制御信号ＣＴＲＹには、スキャン駆動部１２３内のエネルギー回収回路及び駆動スイッチ素子のオン・オフタイムを制御するためのスイッチ制御信号が含まれ、サステイン制御信号ＣＴＲＺには、サステイン駆動部１２４内のエネルギー回収回路及び駆動スイッチ素子のオン・オフタイムを制御するためのスイッチ制御信号が含まれる。
【００３４】
駆動電圧発生部１２５は、セットアップ電圧Ｖｓｅｔｕｐ、スキャン共通電圧Ｖｓｃａｎ−ｃｏｍ、スキャン電圧−Ｖｙ、サステイン電圧Ｖｓ、データ電圧Ｖｄなどを発生する。このような駆動電圧は、放電ガスの組成や放電セル構造により変わることができる。
【００３５】
図３は、本発明の一実施の形態に係るプラズマディスプレイ装置の駆動方法を説明するための図である。
【００３６】
同図に示すように、本発明の一実施の形態に係るプラズマディスプレイ装置の駆動方法は、１フレームが複数のサブフィールドＳＦ１，ＳＦ２，ＳＦ３，ＳＦ４，．．．に時分割され、各サブフィールドは、リセット期間、アドレス期間、サステイン期間に分けられて駆動される。詳細には、複数のサブフィールドのうち、いずれかのサブフィールドでアドレス期間において部分的にスキャン電極ラインをスキャンすることができ、図示のように、全てのサブフィールドでアドレス期間において部分的にスキャン電極ラインをスキャンする。
【００３７】
すなわち、複数のサブフィールドのうち、少なくともいずれかのサブフィールドのアドレス期間において、全てのスキャン電極ラインのうち、部分的にスキャン電極ラインをスキャンする。このような駆動方式を、本発明では部分ラインアドレス指定（Ｐａｒｔｉａｌ  Ｌｉｎｅ  Ａｄｄｒｅｓｓｉｎｇ；以下、ＰＬＡという。）方式という。これに対し、各サブフィールドでの駆動方法をさらに詳細に説明する。
【００３８】
＜第１サブフィールド＞
【００３９】
まず、第１サブフィールドＳＦ１のリセット期間は、セットアップＳＵ期間及びセットダウンＳＤ期間に分け、セットアップＳＵ期間には、全てのスキャン電極ラインＹ１，Ｙ２，Ｙ３，．．．に上昇ランプ波形Ｒａｍｐ−ｕｐが同時に印加され、セットダウンＳＤ期間には、全てのスキャン電極Ｙ１，Ｙ２，Ｙ３，．．．に上昇ランプ波形のピーク電圧より低い電圧から下がり始め、特定電圧レベルまで下がる下降ランプ波形Ｒａｍｐ−ｄｏｗｎが同時に印加され、壁電荷がセル内に均一に残留する。
【００４０】
ここで、セットアップ期間及びセットダウン期間においてランプ波形を印加したが、セル内に壁電荷を均一にすることができる波形であれば、どんな波形であってもスキャン電極に印加できる。また、リセット期間は、セットアップ期間及びセットダウン期間を必ず含む必要はなく、セルに壁電荷を均一にするのに必要な期間であれば、セットアップ期間のみ又はセットダウン期間のみからなることができる。
【００４１】
アドレス期間には、スキャンパルスＳｐが全てのスキャン電極ラインに印加されず、部分的に印加される。すなわち、プラズマディスプレイパネルに配列された全てのスキャン電極ラインのうち、奇数番目のスキャン電極ラインＹ１，Ｙ３，Ｙ５，．．．のみにスキャンパルスＳｐが印加される。たとえば、奇数番目のスキャン電極ラインＹ１，Ｙ３，Ｙ５，．．．のみに順次スキャンパルスSｐが印加される。このとき、アドレス電極Ｘには、スキャンパルスＳｐと同期されるようにデータパルスＤｐが印加され、このようなスキャンパルスとデータパルスとの電圧差と、リセット期間において生成された壁電荷の壁電圧とが加算されながら、放電セル内にはアドレス放電が発生する。
【００４２】
図３では、プラズマディスプレイパネルに配列された全てのスキャン電極ラインのうち、奇数番目のスキャン電極ラインＹ１，Ｙ３，Ｙ５，．．．のみにスキャンパルスＳｐが印加されているが、偶数番目のスキャン電極ラインＹ２，Ｙ４，Ｙ６，．．．のみにスキャンパルスＳｐが印加されて、アドレス電極に印加されるデータパルスＤｐと共にアドレス放電を起こすことができる。このように、アドレス放電により選択されたセル内には、サステイン電圧Ｖｓが印加される際に放電を起こす程度の壁電荷が形成される。
【００４３】
一方、サステイン電極Ｚには、リセット期間のセットダウン期間及びアドレス期間の間に、スキャン電極との電圧差を低減してスキャン電極との誤放電がおきないように正極性電圧Ｚｄｃが供給される。好ましくは、同図に示すように、サステイン電極Ｚには、セットダウン期間の間、正極性電圧Ｚｄｃより低いグラウンド（ＧＮＤ）レベルのような所定の電圧が供給され、アドレス期間の間には、正極性電圧Ｚｄｃが供給される。このように、セットダウン期間の間、サステイン電極Ｚにアドレス期間の間に供給される正極性電圧より低い電圧を供給するようになれば、アドレス放電の際に発生するジッタ特性を向上させるようになり、アドレス指定時間をさらに減らすようになる。
【００４４】
サステイン期間には、スキャン電極及びサステイン電極に交互にサステインパルスＳＵＳｐが印加される。このようなサステインパルスＳＵＳｐは、アドレス放電により選択されたセル内の壁電圧と加算されながら、毎サステインパルスが印加されるごとに、スキャン電極とサステイン電極との間にサステイン放電すなわち、表示放電がおきるようになる。
【００４５】
サステイン放電が完了した後には、プラズマディスプレイパネルの放電特性に応じて消去期間を備えて、パルス幅と電圧レベルとが小さな消去ランプ波形（Ｒａｍｐ−ｅｒｓ）をサステイン電極やスキャン電極に供給できる。これにより、サステイン放電以後、プラズマディスプレイパネルのセル内に残留する壁電荷を消去させることができる。
【００４６】
＜第２，３，４，．．．サブフィールド＞
【００４７】
第２，３，４，．．．サブフィールドＳＦ２，ＳＦ３，ＳＦ４，．．．のリセット期間及びサステイン期間の駆動方法は、第１サブフィールドのリセット期間及びサステイン期間の駆動方法と同様なので、これに対する説明は省略する。
【００４８】
第２，３，４，．．．サブフィールドＳＦ２，ＳＦ３，ＳＦ４，．．．のアドレス期間には、第１サブフィールドと同様に、スキャンパルスＳｐが全てのスキャン電極ラインＹ１，Ｙ２，Ｙ３，．．．に印加されず、部分的に印加できる。この場合も、第２，３，４，．．．サブフィールドＳＦ２，ＳＦ３，ＳＦ４，．．．のそれぞれは、プラズマディスプレイパネルに配列された全てのスキャン電極ラインのうち、奇数番目のスキャン電極ラインＹ１，Ｙ３，Ｙ５，．．．のみに又は偶数番目のスキャン電極ラインＹ２，Ｙ４，Ｙ６，．．．のみにスキャンパルスＳｐが印加される。
【００４９】
好ましくは、全サブフィールドにおいて、プラズマディスプレイパネルに配列された全てのスキャン電極ラインに部分的にスキャンパルスが印加されるとき、奇数番目のサブフィールドのアドレス期間において奇数番目のスキャン電極ラインにスキャンパルスが印加されるか、偶数番目のスキャン電極ラインにスキャンパルスが印加されると、偶数番目のサブフィールドのアドレス期間には、前記奇数番目のサブフィールドのアドレス期間においてスキャンパルスが印加されないスキャン電極ラインにスキャンパルスを印加させる。たとえば、奇数番目のサブフィールドのアドレス期間に奇数番目のスキャン電極ラインのみをスキャンし、偶数番目のサブフィールドのアドレス期間に偶数番目のスキャン電極ラインのみをスキャンする。又は、奇数番目のサブフィールドのアドレス期間に偶数番目のスキャン電極ラインのみをスキャンし、偶数番目のサブフィールドのアドレス期間に奇数番目のスキャン電極ラインのみをスキャンする。
【００５０】
一方、図示していないが、第２，３，４，．．．サブフィールドＳＦ２，ＳＦ３，ＳＦ４，．．．の全てのアドレス期間には、スキャンパルス（ｓｃａｎ）が全てのスキャン電極ラインに印加され得る。これは、部分的なスキャン方法によって発生し得る画質の低下を防止するためのものである。ここで、第１サブフィールドにおいてのみスキャン電極ラインに部分的にスキャンパルスが印加され、残りのサブフィールドでは、アドレス期間の間、全てのスキャン電極ラインにスキャンパルスが印加されたが、全サブフィールドのうち、任意のサブフィールドを選択し、スキャン電極ラインを部分的にスキャンできる。このとき、スキャン電極ラインに部分的にスキャンパルスが印加される任意のサブフィールドの数も、所定の数で決定され得る。
【００５１】
また、部分的にスキャンするアドレス期間を含むサブフィールドは、階調加重値により決められる。
【００５２】
例えば、階調加重値の低いサブフィールドでは、全てのスキャン電極ラインに対して部分的にスキャンパルスが印加されるが、階調加重値の高いサブフィールドでは、全てのスキャン電極ラインにスキャンパルスが印加できる。
【００５３】
この場合、特定しきい値の階調加重値に応じてサブフィールドにおいて全てのスキャン電極ラインに対して全スキャンパルスを印加するか、部分的にスキャンパルスを印加できる。
【００５４】
また、しきい値は、プラズマディスプレイパネルの輝度や階調特性により異なるように決められるが、プラズマディスプレイパネルに具現される映像の画質を考慮し、全サブフィールドにおいて階調加重値の低い順に３つの低階調サブフィールド（階調加重値の低い順に１番目から３番目までの３つの低階調サブフィールド）であることが好ましい。
【００５５】
すなわち、３個の低階調サブフィールドを選択し、アドレス期間において全てのスキャン電極ラインに対して部分的スキャンパルスを印加し、残りのサブフィールドでは、全てのスキャン電極ラインにスキャンパルスを印加できる。
【００５６】
図４ａ〜図４ｃは、本発明の他の実施の形態に係るスキャン駆動部のスキャン方法を説明するための図である。
【００５７】
本発明に係る他の実施の形態に係るプラズマディスプレイ装置の構造は、本発明に係る一実施の形態に係るプラズマディスプレイ装置の構造と同様なので、これに対する説明は省略する。但し、スキャン駆動部１２３は、アドレス期間の間、スキャンパルスＳｐを全てのスキャン電極Ｙ１〜Ｙｎに対し部分的に供給するとき、スキャン電極ラインを単位として部分的に供給するのではなく、図４ａ〜図４ｃのように、全てのスキャン電極ラインを所定個数でグループ化し、分けられたスキャン電極グループを単位として部分的にスキャンパルスを供給する。
【００５８】
図４ａ〜図４ｃに示すように、全てのスキャン電極ラインを所定個数でグループ化して分けられたスキャン電極グループの数は、最小２個以上になることができるが、好ましくは、全てのスキャン電極ラインの数の１／２や１／３となるようにする。スキャン電極グループに属するスキャン電極の数は、図４ａのように、全てが同一であることがあり、図４ｂに示すように、全てが異なることもある。また、図４ｃのように、任意のスキャン電極グループに属するスキャン電極の数は、全てが同一であり、任意のスキャン電極グループではない残りのスキャン電極グループに属するスキャン電極の数は異なることもある。すなわち、スキャン電極グループに属する各々のスキャン電極の数は、少なくともいずれかのスキャン電極グループでは異なるようにしても良い。。
【００５９】
図５は、本発明の他の実施の形態に係るプラズマディスプレイ装置の駆動方法を説明するための図である。
【００６０】
同図に示すように、本発明の他の実施の形態に係るプラズマディスプレイ装置の駆動方法は、本発明の一実施の形態と同様に、１フレームが複数のサブフィールドＳＦ１、ＳＦ２，ＳＦ３，ＳＦ４，．．．に時分割され、各サブフィールドは、リセット期間、アドレス期間、サステイン期間に分けられて駆動される。これに対し、各サブフィールドでの駆動方法をさらに詳細に説明する。
【００６１】
＜第１サブフィールド＞
【００６２】
本発明の他の実施の形態に係る第１サブフィールドＳＦ１のリセット期間及びサステイン期間の駆動方法は、本発明の一実施の形態に係る第１サブフィールドのリセット期間及びサステイン期間の駆動方法と同様なので、これに対する説明は省略する。
【００６３】
但し、アドレス期間には、プラズマディスプレイパネルに配列された全てのスキャン電極ラインを所定個数のグループに分け、分けられたスキャン電極グループに対しては、部分的にスキャンパルスを印加してスキャンする。言い換えれば、１フレームの少なくとも一部のサブフィールドにおいて、全てのスキャン電極グループのうち一部のグループのみスキャンする。詳細には、プラズマディスプレイパネルに配列されたスキャン電極グループのうち、奇数番目のスキャン電極グループＹａ，Ｙｃ，Ｙｅ，．．．のみにスキャンパルスＳｐを印加するか、偶数番目のスキャン電極グループＹｂ，Ｙｄ，Ｙｆ，．．．のみにスキャンパルスを印加する。このとき、アドレス電極Ｘには、スキャンパルスと同期されるようにデータパルスＤｐを印加すれば、スキャンパルスとデータパルスとの電圧差と、リセット期間に生成された壁電荷の壁電圧とが加算されて、放電セル内にはアドレス放電が発生する。
【００６４】
また、サステイン電極Ｚには、本発明の一実施の形態のように、セットダウン期間の間、正極性電圧Ｚｄｃより低いグラウンド（ＧＮＤ）レベルのような所定の電圧が供給され、アドレス期間の間には、正極性電圧Ｚｄｃが供給される。
【００６５】
＜第２，３，４，．．．サブフィールド＞
【００６６】
本発明の他の実施の形態に係る第２，３，４，．．．サブフィールドＳＦ２，ＳＦ３，ＳＦ４，．．．のリセット期間及びサステイン期間の駆動方法は、第１サブフィールドのリセット期間及びサステイン期間の駆動方法と同様なので、これに対する説明は省略する。
【００６７】
第２，３，４，．．．サブフィールドＳＦ２，ＳＦ３，ＳＦ４，．．．のアドレス期間には、第１サブフィールドと同様に、スキャンパルス（ｓｃａｎ）がスキャン電極グループの全てに印加されず、部分的に印加できる。この場合にも、第２，３，４，．．．サブフィールドＳＦ２，ＳＦ３，ＳＦ４，．．．それぞれは、プラズマディスプレイパネルに配列されたスキャン電極グループのうち、奇数番目のスキャン電極グループＹ１，Ｙ３，Ｙ５，．．．のみに又は偶数番目のスキャン電極グループＹ２，Ｙ４，Ｙ６，．．．のみにスキャンパルスが供給される。
【００６８】
好ましくは、全サブフィールドにおいてプラズマディスプレイパネルに配列されたスキャン電極グループに部分的にスキャンパルスが印加されるとき、奇数番目のサブフィールドのアドレス期間において奇数番目のスキャン電極グループにスキャンパルスが印加されるか、偶数番目のスキャン電極グループにスキャンパルスが印加されると、偶数番目のサブフィールドのアドレス期間には、前記奇数番目のサブフィールドのアドレス期間においてスキャンパルスが印加されていなスキャン電極グループにスキャンパルスが印加される。
【００６９】
一方、本発明の一実施の形態と同様に、第２，３，４，．．．サブフィールドＳＦ２，ＳＦ３，ＳＦ４，．．．の全てのアドレス期間には、スキャンパルスＳｐが全てのスキャン電極グループに印加され得る。これは、部分的なスキャン方法により発生し得る画質の低下を防止するためのものである。ここで、第１サブフィールドのみでスキャン電極グループに部分的にスキャンパルスが印加され、残りのサブフィールドでは、アドレス期間の間、全てのスキャン電極グループにスキャンパルスが印加されたが、全サブフィールドのうち、任意のサブフィールドを選択し、スキャン電極グループを部分的にスキャンできる。このとき、スキャン電極グループに部分的にスキャンパルスが印加される任意のサブフィールドの数も、所定の数で決められる。
【００７０】
また、スキャン電極グループに部分的にスキャンパルスが印加されるサブフィールドは、階調加重値により決められる。これに対しては、既に説明したので、省略する。
【００７１】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００７２】
【図１】従来のプラズマディスプレイ装置の画像階調を具現する方法を示す図である。
【図２】本発明の一実施の形態に係るプラズマディスプレイ装置を示す図である。
【図３】本発明の一実施の形態に係るプラズマディスプレイ装置の駆動方法を説明するための図である。
【図４ａ】本発明の他の実施の形態に係るスキャン駆動部のスキャン方法を説明するための図である。
【図４ｂ】本発明の他の実施の形態に係るスキャン駆動部のスキャン方法を説明するための図である。
【図４ｃ】本発明の他の実施の形態に係るスキャン駆動部のスキャン方法を説明するための図である。
【図５】本発明の他の実施の形態に係るプラズマディスプレイ装置の駆動方法を説明するための図である。
【図１】
2007072462.tif 000003
【図２】
2007072462.tif 000004
【図３】
2007072462.tif 000005
【図４ａ】
2007072462.tif 000006
【図４ｂ】
2007072462.tif 000007
【図４ｃ】
2007072462.tif 000008
【図５】
2007072462.tif 000009